(57)【要約】【課題】呼気を濃縮する手段等を用いること無く、いわゆる「飲酒運転」を防止することが出来る飲酒運転防止装置の提供。【解決手段】ドライバーの体臭からアセトアルデヒド及びその濃度を検出するセンサ３と、制御手段４とを有し、該制御手段４は、前記センサ３の検出結果と許容値とを比較して、アセトアルデヒドの濃度が許容値以上である場合には自動車を発進不能とする制御を行う様に構成されている。【選択図】図１
2008254478.tif 000002
【特許請求の範囲】
【請求項１】
自動車の運転席に配置されたセンサと、制御手段とを有し、前記センサは運転席に座着した者の体臭から飲酒した旨を示す指示物質の有無及び濃度を検出する様に構成されており、前記制御手段は、前記センサの検出結果と閾値とを比較して、指示物質濃度が閾値以上である場合には自動車を発進不能とする制御を行う様に構成されていることを特徴とする飲酒運転防止装置。
【請求項２】
自動車の運転席に配置された複数のセンサと、制御手段とを有し、該制御手段は、前記複数のセンサの検出結果からパターンを作成する手段と、得られたパターンを指示物質から得られたパターンと比較して体臭中に指示物質が包含されているか否かを判定する手段と、当該指示物質濃度を決定する手段とを備え、決定された指示物質濃度が閾値以上である場合には自動車を発進不能とする制御を行う様に構成されていることを特徴とする飲酒運転防止装置。
【請求項３】
指示物質濃度が閾値以上であっても自動車を発進可能とする操作手段を有しており、前記制御手段は、前記操作手段が作動した場合には、自動車を発進不能とする制御を行わない様に構成されている請求項１、２の何れかの飲酒運転防止装置。
【請求項４】
前記操作手段を作動させて自動車を発進させた場合に、運転者の体臭中の前記指示物質濃度が閾値以上である旨を表示する表示手段を有する請求項３の飲酒運転防止装置。
【請求項５】
前記操作手段を作動させて自動車を発進させた場合に、運転者の体臭中の前記指示物質濃度が閾値以上である旨の無線信号を車両外部へ発信する様に構成されている請求項３、４の何れかの飲酒運転防止装置。
【発明の詳細な説明】
【技術分野】
【０００１】
本発明は、エチルアルコールの血中濃度が所定値以上の状態にある運転者が自動車を運転すること（いわゆる「飲酒運転」）を防止する技術に関する。
【背景技術】
【０００２】
エチルアルコールの血中濃度が所定値以上の状態にあると、慎重な判断が困難となり、且つ、反応が悪くなってしまう。そのため、係る状態（エチルアルコールの血中濃度が所定値以上の状態）で自動車を運転することは、大変に危険であり、重大な事故を発生してしまう恐れがある。そのため、飲酒運転は、各種法規により厳禁されている。
しかし、飲酒運転は後を絶たず、飲酒運転に起因する重大な事故の発生も後を絶たないのが現状である。
【０００３】
従来技術においても、アルコールを検出した場合に自動車を運転不可能とする技術が提案されている（例えば、特許文献１参照）。
しかし、係る従来技術は、アルコールガスの熱伝導度、電気伝導度を基礎としてアルコールの有無を検知するので、各種手段により呼気を濃縮しなければ、アルコールの検知自体が困難であるという問題を有している。
【特許文献１】特開平８−１５０８５３号公報
【発明の開示】
【発明が解決しようとする課題】
【０００４】
本発明は上述した従来技術の問題点に鑑みて提案されたものであり、呼気を濃縮する手段等を用いること無く、エチルアルコールの血中濃度が所定値以上の状態で自動車を運転すること（いわゆる「飲酒運転」）を防止することが出来る飲酒運転防止装置の提供を目的としている。
【課題を解決するための手段】
【０００５】
発明者は種々研究の結果、体臭に含まれるアセトアルデヒド濃度は血中のエチルアルコール濃度と対応していること、また、アセトアルデヒド濃度の計測は、従来技術のように、エチルアルコールを含む呼気を採取する必要が無いことに着目した。そして、体臭に包含される飲酒した事実を示す指示物質（例えば、アセトアルデヒド）を計測すれば、呼気の採取や、採取された呼気の濃縮が不要となることに着目した。
【０００６】
本発明の係る見地に基づいて創作されている。
本発明の飲酒運転防止装置（１００）は、自動車の運転席に配置されたセンサ（３：アセトアルデヒドを検知する薄膜センサ）と、制御手段（コントロールユニット４）とを有し、前記センサ（３）は運転席に座着した者（運転者、ドライバー）の体臭から飲酒した旨を示す指示物質（例えば、アセトアルデヒド）の有無及び濃度を検出する様に構成されており、前記制御手段（４）は、前記センサ（３）の検出結果と閾値（飲酒運転と認められるエチルアルコールの血中濃度の限界値に相当する体臭中の指示物質濃度）とを比較して、指示物質濃度が閾値以上である場合には自動車を発進不能とする制御を行う様に構成されている（請求項１）。
【０００７】
ここで、前記「自動車を発進不能とする制御」とは、例えば、ガバナ等を制御してエンジンへの燃料供給を遮断する制御、点火系への電流供給を遮断する制御、スタータモータへの電流供給を遮断する制御、トランスミッションがニュートラル（Ｎ）位置やパーキング位置（Ｐ）以外に入らない様にする制御、サイドブレーキが解除されない様にする制御、或いは、イグニッションキーが回動しない様にする制御である。
【０００８】
また、本発明の飲酒運転防止装置（１０１）は、自動車の運転席に配置された複数のセンサ（Ａ、Ｂ、Ｃ、Ｄ）と、制御手段（コントロールユニット４０）とを有し、該制御手段（４０）は、前記複数のセンサ（Ａ、Ｂ、Ｃ、Ｄ）の検出結果からパターン（図６〜図８参照）を作成する手段（パターン作成ブロック４４１）と、得られたパターンを指示物質（例えば、アセトアルデヒド等）から得られたパターンと比較して体臭中に指示物質が包含されているか否かを判定する手段（パターン比較ブロック４４２、判定ブロック４４３）と、当該指示物質濃度を決定する手段（濃度判定ブロック４５）とを備え、決定された指示物質濃度が閾値（飲酒運転と認められるエチルアルコールの血中濃度の限界値に相当する体臭中の指示物質濃度）以上である場合には自動車を発進不能とする制御を行う様に構成されている（請求項２）。
【０００９】
本発明において、指示物質濃度が閾値以上であっても自動車を発進可能とする操作手段（解除スイッチ５）を有しており、前記制御手段（４、４０）は、前記操作手段（５）が作動した場合には、自動車を発進不能とする制御を行わない様に構成されているのが好ましい（請求項３）。
【００１０】
本発明において、前記操作手段（５）を作動させて自動車（１）を発進させた場合に、運転者の体臭中の前記指示物質濃度が閾値以上である旨（飲酒運転が行われている旨）を表示する表示手段（７）を有するのが好ましい（請求項４）。
或いは、前記操作手段（５）を作動させて自動車（１）を発進させた場合に、運転者の体臭中の前記指示物質濃度が閾値以上である旨（飲酒運転が行われている旨）の無線信号を（例えば無線ＬＡＮにより）車両外部（例えば、警察署）へ発信する様に構成されているのが好ましい（請求項５）。
【００１１】
本発明において、「自動車の運転席に座着した者の体臭から飲酒した旨を示す指示物質及びその濃度を検出するセンサ」としては、当該指示物質（例えばアセトアルデヒド）にのみ反応して検出するセンサ（当該指示物質といわゆる「１：１」の関係で反応するセンサ）、例えば薄膜センサ（３）を用いることが出来る。
或いは、当該指示物質は反応するが、当該指示物質のみに反応する訳ではない様なセンサ（Ａ、Ｂ、Ｃ、Ｄ）を複数種類組み合わせ、各センサの出力を組み合わせたパターン（例えば、図５〜図７参照）により、当該指示物質の有無を検出することが可能である。
【００１２】
ここで、上述した薄膜センサは、ナノレベルの微細孔を多数形成した多孔質材料（例えば、金属酸化物半導体）から構成されており、検出するべき物質の分子がナノレベルの微細孔を侵入することによりセンサとして必要な選択性を発揮するものが使用可能である。
【発明の効果】
【００１３】
上述する構成を具備する本発明によれば、飲酒した旨を示す指示物質（例えば、アセトアルデヒド）を検出するセンサ（３：アセトアルデヒドのみを検知する薄膜センサ）により、自動車（１）の運転席に座着した者（運転者、ドライバー）の体臭中に指示物質が含まれているか否かを検出しており、当該指示物質は体臭（或いは、体臭に含まれるアセトアルデヒド）を濃縮しなくても十分に検出可能であるため、体臭（或いは、体臭に含まれるアセトアルデヒド）を濃縮する手段を用いること無く、飲酒した旨を示す指示物質を検出することが出来る。
そのため、体臭（或いは、体臭に含まれるアセトアルデヒド）を濃縮する手段のスペースが不要であるため、本発明の飲酒運転防止装置は、自動車（１）内に簡単に設置することが可能である。
【００１４】
本発明において、前記操作手段（解除スイッチ５）を有し、前記操作手段（解除スイッチ５）が作動した場合には自動車を発進可能に構成すれば（請求項２）、同乗者は飲酒していてもドライバーは飲酒をしていない場合や、外傷を負った者の治療（消毒）のために飲酒運転を行う緊急事態の場合等においては、自動車（１）を発進させて、運転することが可能となる。
【００１５】
さらに本発明において、前記操作手段（５）を作動させた場合には、表示手段（７）によって飲酒運転が行われている旨を表示する様に構成すれば（請求項４）、その自動車（１）が飲酒運転中であることを周囲に警告することが出来るので、飲酒運転による事故を未然に防止することが可能となる。
或いは、飲酒運転が行われている旨を無線で外部（例えば、警察署８）に発信する様に構成すれば（請求項５）、警察官を派遣する等、飲酒運転に対して抑止力のある手段を採用することが可能となり、飲酒運転に起因する悲惨な事故の発生を未然に回避することが可能となる。
【発明を実施するための最良の形態】
【００１６】
以下、添付図面を参照して、本発明の実施形態について説明する。
先ず、図１〜図５を参照して第１実施形態を説明する。
図１〜図５の第１実施形態は、アセトアルデヒドと１：１で反応する（アセトアルデヒドのみに反応する）センサ（例えば薄膜センサ）を用いた実施形態である。
【００１７】
ここで、アセトアルデヒドと１：１で反応するセンサとしては、例えば、分子レベルの厚さ寸法しか有さない薄膜に、アセトアルデヒド分子の形状と同一形状の欠損部（分子レベルのサイズの孔）を複数形成し、当該薄膜を透過した分子が圧電素子に衝突するように構成されているタイプのセンサを使用する。そして、当該薄膜を透過した分子が衝突する圧電素子は、当該薄膜を透過した分子数に比例した電圧を発生させる様に構成されている。
【００１８】
係るセンサにおいて、アセトアルデヒド分子を包含する気体を当該薄膜に衝突させる。その結果、アセトアルデヒド分子のみが薄膜を透過する。薄膜を透過したアセトアルデヒド分子は圧電素子と衝突して、電圧を発生する。
ここで、発生電圧は薄膜を透過したアセトアルデヒド分子の数、すなわちモル濃度に比例するので、当該気体中にアセトアルデヒド分子が存在するか否かのみならず、その濃度も鑑定できる。
【００１９】
図１において、第１実施形態の飲酒運転防止装置１００は、図示しない車両に設けられている。
飲酒運転防止装置１００は、図示しない車両に搭載されているエンジン２と、ドライバーの体臭中に含まれる飲酒した旨を示す指示物質（例えば、アセトアルデヒド）及び該指示物質の濃度を検出するアセトアルデヒドセンサ３と、コントロールユニット４と、解除スイッチ５とを有している。
【００２０】
アセトアルデヒドセンサ３は、図２に示すように、運転席（ドライバーシート）９において、シートクッション９１、シートバック９２、ヘッドレスト９３の少なくとも一箇所に設けてある。ここで、アセトアルデヒドセンサ３は、シートクッション９１、シートバック９２、ヘッドレスト９３の何れか一箇所に配置しても良く、或いは、シートクッション９１、シートバック９２、ヘッドレスト９３の何れか或いは全箇所に配置しても良い。
【００２１】
コントロールユニット４は、アセトアルデヒドセンサ３からの検出信号に基いて、ドライバーが飲酒又は酒気帯びであるか否かを判断する様に構成されている。そして解除スイッチ５は、例えば、助手席の乗員が飲酒していた場合にコントロールユニット４が「ドライバーが飲酒又は酒気帯びである」と誤判断して、運転操作を禁止しようとした場合でも、コントロールユニット４の禁止命令を解除することが出来る様に構成されている。
【００２２】
コントロールユニット４は、比較回路４１と、判定回路４２と、記憶装置であるデータベース４３とを有している。比較回路４１は、アセトアルデヒドセンサ３からの出力信号を受信し、その受信した信号に含まれる情報とデータベース４３に記憶されたデータ（飲酒又は酒気帯びであるということを示す閾値）とを比較し、その比較結果を判定回路４２に送る。判定回路４２は、比較回路から送られた比較結果を示す信号に基づいて、ドライバーが飲酒又は酒気帯びに該当するか否かを判定する。そして、エンジン２に制御信号、例えば、エンジン２の図示しないインジェクションポンプの噴射を禁止する旨の信号等を発信する。
【００２３】
アセトアルデヒドセンサ３は、上述したように、アセトアルデヒドを検出することが出来るセンサ（アセトアルデヒドと１：１で反応するセンサ）であり、アセトアルデヒドが存在するか否かと、その濃度の双方が検出できる様に構成されている。
【００２４】
ドライバーの体臭に含まれるアセトアルデヒドは、ドライバーの胸部、背中、臀部等から放散され、ドライバーの衣類を通して、ドライバーの周辺に滞留する。
このドライバーの周辺に滞留するアセトアルデヒドの存在及びその濃度を、図２に示すように、運転席９の、シートクッション９１、シートバック９２、ヘッドレスト９３の少なくとも１箇所に設けたアセトアルデヒドセンサ３が検知するように構成されている。
ドライバーの着衣の量（厚み）、或いは着衣の種類によって、アセトアルデヒドが、衣類の外に透過し難い場合がある。その様な場合には、シートクッション９１、シートバック９２、ヘッドレスト９３の複数個所にアセトアルデヒドセンサ３を設けるようにすれば、検出不良となることを防止出来る。
【００２５】
なお、図示はしないが、シートベルトにおけるドライバーの胸部に接触する位置に、アセトアルデヒドセンサ３を設けても良い。
【００２６】
上述したように、コントロールユニット４は、アセトアルデヒドセンサ３の出力信号電圧を、データベース４３に記憶されている閾値と比較し（比較回路４１)、閾値以上のアセトアルデヒド濃度であるか否かを決定し（判定回路４２)、アセトアルデヒド濃度が閾値以上の場合には、自動車のエンジン２に制御信号を発生して、始動を妨げる様に構成されている。
【００２７】
解除スイッチ５は、上述したように、閾値以上のアセトアルデヒド濃度が検出されても、自動車のエンジン２の始動を可能とするための装置である。
例えば、同乗者は飲酒していてもドライバーは飲酒をしていない場合や、外傷を負った者の治療（消毒）にエチルアルコールを使用した場合等において、エチルアルコールが何らかの作用でアセトアルデヒドに変化し、自動車が発進出来なくなってしまう不都合を解消するために設けられている。詳細については、図５を参照して後述する。
【００２８】
図３は、第１実施形態における作用を示した制御フローチャートである。
図３のステップＳ１において、コントロールユニット４は、アセトアルデヒドセンサ３でアセトアルデヒドを検出したか否かを判断する。
アセトアルデヒドを検出したならば（ステップＳ１がＹＥＳ）、ステップＳ２に進む。アセトアルデヒドを検出しない場合には（ステップＳ１がＮＯ）、ステップＳ５でエンジンを作動可能な状態にせしめて、ステップＳ６まで進む。
【００２９】
ステップＳ２では、アセトアルデヒド濃度が所定値以上か否かを判断する。アセトアルデヒド濃度が所定濃度以上であれば（ステップＳ２がＹＥＳ）ステップＳ３に進む。アセトアルデヒド濃度が所定濃度未満であれば（ステップＳ２がＮＯ）、ステップＳ５でエンジン作動可能な状態にせしめてステップＳ６まで進む。
【００３０】
ステップＳ３では、コントロールユニット４はエンジンが作動しているか否かを判断する。エンジンが作動していれば（ステップＳ３がＹＥＳ）、次のステップＳ４に進む。エンジンが作動していなければ（ステップＳ３がＮＯ）、ステップＳ６まで進む。
ステップＳ４では、コントロールユニット４はエンジンを停止させる。
【００３１】
ステップＳ６では、制御を終了するか否かを判断する。制御を終了するのであれば（ステップＳ６がＹＥＳ）、そのまま制御を終了する。
制御を続行するのであれば（ステップＳ６がＮＯ）、ステップＳ１まで戻り、再びステップＳ１以降を繰り返す。
【００３２】
図１〜図３では、ドライバーの体臭におけるアセトアルデヒド濃度が閾値を越えた場合には、コントロールユニット４からの制御信号により、作動中の自動車のエンジン２を停止し、或いは、停止中のエンジン２の始動を妨げるように構成されている。
エンジン２を停止し、或いは始動を妨げる具体的な手法としては、例えば、
図示しないガバナ等を制御してエンジン２への燃料供給を遮断する、
図示しない点火系への電流供給を遮断する、
図示しないスタータモータへの電流供給を遮断する、
図示しないトランスミッションがニュートラル（Ｎ）位置やパーキング位置（Ｐ）以外に入らない様に構成する、
図示しないサイドブレーキが解除されない様に構成する、或いは、
図示しないイグニッションキーが回動しないように構成する、
等が適用可能である。
【００３３】
アセトアルデヒドを検出した場合でも、エンジン２が作動していなければ、上述した「エンジン作動か？」（ステップＳ３）の制御を行う必要は無い。或いは、エンジンが作動しているか否かの判定に代えて、車速がゼロであるか否かを判定しても良い。
【００３４】
「アセトアルデヒド濃度が所定濃度（閾値）以上であるか否か？」を判定するステップＳ２では、例えば図４で示す様に、経時的に変化するアセトアルデヒド濃度（線Ｌγ）の瞬間値（ピーク値）が閾値Ｌｓを超えた場合には、「ＹＥＳ」と判定する。
危険防止の観点から、血中アルコール濃度が閾値を越えた可能性がある場合に、漏れなく、上述した「エンジン停止」（ステップＳ４）の制御を行うためである。
【００３５】
図５を参照して、上述した解除スイッチ５について説明する。
上述した様に、例えば、同乗者は飲酒していてもドライバーは飲酒をしていない場合や、外傷を負った者の治療（消毒）にエチルアルコールを使用し、そのエチルアルコールが何らかの作用によってアセトアルデヒドに変化した場合等において、自動車が発進出来なくなってしまう不都合を解消するために、解除スイッチ５は設けられている。
【００３６】
解除スイッチ５を作動させると、アセトアルデヒドセンサ３が所定濃度以上のアセトアルデヒドを検知しても、図３で示すステップＳ４における「エンジン停止」の制御が為されなくなる。
【００３７】
図５は、解除スイッチ５による制御フローチャートを示す。図５において、ステップＳ１１では、コントロールユニット４は解除スイッチがＯＮであるか否かを判断する。解除スイッチがＯＮであれば（ステップＳ１１がＹＥＳ）、ステップＳ１２に進む。一方、解除スイッチがＯＮでなければ（ステップＳ１１がＮＯ）、ステップＳ１１のループを繰り返す。
【００３８】
ステップＳ１２では、解除スイッチ５をＯＮにした日時をデータベース４３に記憶し、更に、図３のステップＳ４の処理を解除して（ステップＳ１３）、制御を終了する。
【００３９】
解除スイッチ５をＯＮにした日時をデータベース４３に記憶することによって、解除スイッチ５をＯＮにした状態で事故が発生した場合に、解除スイッチ５が異常作動したのではない旨を明らかにすることが出来る。換言すれば、酩酊状態の者が故意に解除スイッチ５を作動させてしまった場合に、その旨を記録しておくことにより、その者が事故を起こした場合に、「解除スイッチが勝手に作動してしまった」と抗弁することを事前に防止することが出来る。
【００４０】
解除スイッチ５は、運転席から離隔した箇所に設けられていることが好ましい。すなわち、解除スイッチ５は、ドライバーが操作し難い箇所に配置されていることが好ましい。例えば、後部シートの下側や、トランクの内部に設置することが好適である。
【００４１】
図５において、ステップＳ４（図３）の処理を解除して、自動車を発進可能にせしめた後、一定条件を満たした場合には、図５のステップＳ１３の処理を解除して図３のステップＳ４の処理を有効ならしめるのが好ましい。すなわち、図３及び図５の制御が繰り返されるのである。
【００４２】
図３及び図５の制御を繰り返すことにより、酩酊状態にある者が故意に解除スイッチ５を操作しても、一定時間を経過するとエンジンが停止するので、酩酊状態のドライバーが長時間の運転を行うという事態が防止される。
上述の一定条件（図３のステップＳ４の処理が再び有効となる条件）としては、例えば、「所定の時間が経過する」という条件や、「エンジンが停止した（切れた）」という条件が考えられる。
【００４３】
次に、図６〜図８、図９を参照して第２実施形態を説明する。
図１〜図５の第１実施形態は、アセトアルデヒドと１：１で反応するセンサ（例えば薄膜センサ３）を用いている。これに対して、第２実施形態では、アセトアルデヒドと１：１では反応せず、複数の物質と反応するセンサを複数種類組み合わせ、係る複数種類のセンサ出力でレーダーチャート状のパターンを作成し、係るパターンの類非によりアセトアルデヒドの有無を判定する。
【００４４】
図６〜図８では、複数のセンサ（例えば４種類のセンサＡ、Ｂ、Ｃ、Ｄ）の出力を組み合せて作成したレーダーチャート状のパターンを示している。４種類のセンサＡ〜Ｄの出力は、それぞれ、図６〜図８の軸Ａ〜軸Ｄにプロットされている。ここで、４種類のセンサＡ〜Ｄは、アセトアルデヒドに反応はするが、アセトアルデヒドと１：１で反応するものではない。
４種類のセンサ（Ａ〜Ｄ）の各々の出力を図６〜図８の軸Ａ〜軸Ｄにプロットし、そのプロットを結んで得られるパターンを用いて、アセトアルデヒドが存在するか否かを判定する。
【００４５】
図６は、アセトアルデヒドを検知した場合において、４種類のセンサの出力を図６〜図８の軸Ａ〜軸Ｄにプロットし、そのプロットを結んで得た図形パターンを示している（アセトアルデヒドの出力パターン）。
図７は、未知の物質に対する４種類のセンサ（Ａ〜Ｄ）の検出信号出力を図６〜図８の軸Ａ〜軸Ｄにプロットし、そのプロットを結んで得た図形パターンを破線で示している。それと共に、アセトアルデヒドの図形パターンを実線で示している。
２つの図形パターンは全く相違しているので、パターン認識の結果、当該未知の物質はアセトアルデヒドではないと判断できる。
【００４６】
図８は、図７と同様に、未知の物質のセンサ出力パターン（種類のセンサＡ〜Ｄの検出信号出力を図６〜図８の軸Ａ〜軸Ｄにプロットし、そのプロットを結んで得た図形パターン）を破線で示し、アセトアルデヒドのセンサ出力パターンを実線で示した図である。
波線の図形パターンと実線の図形パターンとは概略一致しているので、当該未知の物質はアセトアルデヒドと判断できる。
【００４７】
図９に基づいて、第２実施形態の構成を説明する。
図９において、第２実施形態の飲酒運転防止装置１０１は、図示しない車両に設けられている。そして、飲酒運転防止装置１０１は、図示しない車両に搭載されたエンジン２と、ドライバーの体臭中のアセトアルデヒド濃度を検出するための異なった種類のアセトアルデヒドセンサ（物質判定センサ）Ａ〜Ｄと、コントロールユニット４０と、解除スイッチ５とを有している。
コントロールユニット４０は、アセトアルデヒドセンサＡ〜Ｄからの検出信号によって、ドライバーが「飲酒」又は「酒気帯び」に相当する状態であるか否かを判断する様に構成されている。そして解除スイッチ５は、例えば助手席の者が飲酒している際に、コントロールユニット４０が「飲酒又は酒気帯びである」と誤判断して、運転操作を禁止しようとした場合に、運転走査を可能ならしめる様に（運転操作の禁止命令を解除する様に）構成されている。
【００４８】
コントロールユニット４０は、物質判定ブロック４４と、濃度判定ブロック４５と比較ブロック４６とデータベース４３とを有している。
物質判定ブロック４４は、パターン作成ブロック４４１とパターン比較ブロック４４２と判定ブロック４４３とで構成されている。
【００４９】
パターン作成ブロック４４１は、前記４種類のセンサ（Ａ〜Ｄ）から情報を受信して受信した物質のパターンを作成する。パターン比較ブロック４４２は、データベース４３に記憶されたアセトアルデヒドのパターンと、検出した物質のパターンとを、例えば従来公知のパターン認識の手法に基づいて比較する。そして比較結果を送られた判定ブロック４４３では、検出した物質がアセトアルデヒドか否かを判断する。
【００５０】
濃度判定ブロック４５では、前記物質判定ブロック４４で判定された物質がアセトアルデヒドの場合、その濃度（アセトアルデヒド濃度）を決定する。
比較ブロック４６は、データベース４３に記憶されたアセトアルデヒド濃度の閾値と濃度判定ブロック４５で決定されたアセトアルデヒド濃度とを比較する。そして、濃度判定ブロック４５で決定されたアセトアルデヒド濃度（アセトアルデヒド濃度の検出値）が閾値より大きな場合は、運転操作を禁止する制御を行う。運転操作を禁止する制御の具体例については、第１実施形態で説明したのと同様である。
【００５１】
第２実施形態では複数のセンサＡ〜Ｄを組み合わせ、センサ出力から得られる図形パターン（図６〜図８参照）によりアセトアルデヒドを検出しているので、第１実施形態とは異なり、アセトアルデヒド濃度を直接計測することは困難である。そのため、センサ出力からアセトアルデヒドの有無を判定する物質判定ブロック４４に加えて、アセトアルデヒド濃度を決定する濃度決定ブロック４５を設けている。
濃度決定ブロック４５では、公知の技術を適用して、アセトアルデヒド濃度を決定する。
【００５２】
次に、図１０、図１１を参照して第３実施形態を説明する。
図１０、図１１の第３実施形態では、解除スイッチ５が作動されていない場合には第１実施形態及び／又は第２実施形態と同様であるが、解除スイッチ５が作動した場合について、第１実施形態及び／又は第２実施形態とは異なっている。
第３実施形態においては、所定濃度以上のアセトアルデヒドを検知したが、解除スイッチ５が作動しており、自動車が走行している（車速≠０）場合には、「飲酒運転が為されている」旨の表示をすると共に、「飲酒運転が為されている」旨を、警察署（所轄機関）に対して、無線ＬＡＮ等を用いて連絡する様に構成されている。
【００５３】
図１０において、第３実施形態の飲酒運転防止装置１０２は、エンジン２を備えた自動車１に、第１実施形態と同様のアセトアルデヒドセンサ３とコントロールユニット４と解除スイッチ５とを備え、飲酒運転信号発生手段６と表示手段７とを備えている。飲酒運転信号発生手段６は、発信用アンテナ６１を有している。
【００５４】
図１１に基づいて、第３実施形態の制御方法について説明する。
ステップＳ２１では、コントロールユニット４は、アセトアルデヒドセンサ３によりアセトアルデヒドが検出されたか否かを判断する。
アセトアルデヒドを検出したならば（ステップＳ２１がＹＥＳ）ステップＳ２２に進む。アセトアルデヒドを検出しなければ（ステップＳ２１がＮＯ）、ステップＳ２４でエンジンを作動可能ならしめて、ステップＳ２９まで進む。
【００５５】
ステップＳ２２では、アセトアルデヒド濃度が所定値以上か否かを判断して、所定濃度以上であれば（ステップＳ２２がＹＥＳ）ステップＳ２３に進む。アセトアルデヒド濃度が所定濃度未満であれば（ステップＳ２２がＮＯ）、ステップＳ２４でエンジンを作動可能ならしめてステップＳ２９まで進む。
【００５６】
ステップＳ２３では、コントロールユニット４は解除スイッチ５がＯＮか否かを判断する。解除スイッチ５がＯＮであれば（ステップＳ２３がＹＥＳ）ステップＳ２５に進み、解除スイッチ５がＯＮでなければ（ステップＳ２３がＮＯ）、ステップＳ２７に進む。
【００５７】
ステップＳ２５では、コントロールユニット４は車速が０でないか否か、すなわち自動車１が走行しているか否かを判断している。
車速が０でなければ（ステップＳ２５がＹＥＳ）、ステップＳ２６で表示手段６を作動させ、飲酒信号発生手段６から飲酒信号を発信した後、ステップＳ２９に進む。
一方、車速が０であれば（ステップＳ２５がＮＯ）、自動車１は走行しておらず、危険性は少ないと判断して、表示手段６を作動させること無く、そのままステップＳ２９に進む。
【００５８】
ステップＳ２７では、コントロールユニット４は車速が０でないか否か、すなわち自動車１が走行しているか否かを判断している。
車速が０でなければ（ステップＳ２７がＹＥＳ）、ステップＳ２８でエンジン２を停止する制御を行い、ステップＳ２９に進む。一方、車速が０であれば（ステップＳ２７がＮＯ）、そのままステップＳ２９に進む。
【００５９】
ステップＳ２９では、コントロールユニット４は、制御を終了するか否かを判断する。
制御を続けるのであれば（ステップＳ２９がＮＯ）、ステップＳ２１まで戻り、再びステップＳ２１以降を繰り返す。
【００６０】
図１０、図１１の第３実施形態によれば、上述した様に構成することによって、酩酊状態のドライバーが解除スイッチ５を操作して、自動車１を運転してしまった場合に、積極的に対処することが出来る。
すなわち、酩酊状態のドライバーが解除スイッチ５を操作して、自動車１を走行させてしまった場合には、コントロールユニット４から飲酒運転信号発信手段６に、飲酒運転である旨が出力され、自動車１の後部に取り付けられた表示手段７には飲酒運転中である旨の表示がなされる。そのため、当該自動車１の近傍を走行しているその他の自動車は、当該自動車１が飲酒運転中であることを認識することが出来るので、事故等に巻き込まれてしまうことを防止できる。
【００６１】
一方、飲酒運転信号発信手段６のアンテナ６１から、最寄りの警察署８に飲酒運転である旨の信号が発信される。その結果、当該信号を受信した警察署は、当該自動車１に警察官を派遣して、走行停止を命じることが出来る。その結果、飲酒運転により当該自動車１が悲惨な事故を惹起してしまうことを、積極的に防止することが出来ると共に、飲酒者に対して飲酒運転を抑制することが出来る。
【００６２】
なお、同乗者は飲酒していてもドライバーは飲酒をしていない場合や、外傷を負った者の治療（消毒）にエチルアルコールを使用した場合で、そのメチルアルコールが何らかの作用によってアセトアルデヒドに変化した等、解除スイッチ５を操作することが適正な場合においても、警察８に連絡されてしまう。しかし、係る場合において、仮に警察官に停車を命じられて職務質問をされたとしても、警察官の質問に対してドライバーが事情を正確に説明すれば、ドライバーに不利益は生じない。
【００６３】
次に、図１２、図１３を参照して第４実施形態を説明する。
図１０、図１１の第４実施形態は、図１〜図５の第１実施形態に対して、アルコールセンサ３Ａを追加装備した実施形態である。
第４実施形態は、アルコールセンサ３Ａを追加装備することにより、ドライバーの呼気中に含まれるエチルアルコール濃度をアルコールセンサ３Ａによって検知し、このアルコール濃度と、第１実施形態における体臭に含まれるアセトアルデヒド濃度の何れか一方が所定濃度以上となった場合に、自動車のエンジンを強制的に停止させるように構成されている。
【００６４】
アルコールセンサ３Ａは、図示しないドライバーシートに着座した者の呼気が衝突する部位に設置される。その様な位置としては、例えば、図示しないステアリングホイールの中央部（パッド部）や、図示しないインストルメントパネルがある。
また、図示しないルームミラーの反射面の反対側（裏側）や、ドライバーシート真上の図示しない天井部分にアルコールセンサ３Ａを設けても、呼気に含まれるアルコールを検出可能である。
いわゆる「オープンカー」の場合には、シートベルト真上の天井自体が存在せず、呼気が大気中に拡散してしまう可能性が高い。この様な場合には、例えば、図示しないドライバーのシートベルトや、運転席にアルコールセンサ３Ａを設けても良い。
【００６５】
図１３は、第４実施形態における作用を示した制御フローチャートである。
図１３のステップＳ３１において、コントロールユニット４は、アセトアルデヒドセンサ３でアセトアルデヒドを、或いは、アルコールセンサ３Ａでアルコールを検出したか否かを判断する。
【００６６】
アセトアルデヒドとアルコールの何れか一方でも検出したなら（ステップＳ３１がＹＥＳ）、ステップＳ３２に進み、検出しなければ（ステップＳ３１がＮＯ）、ステップＳ３５でエンジンを稼働ならしめてステップＳ３６まで進む。
【００６７】
ステップＳ３２では、アルコール濃度か、アセトアルデヒド濃度の何れか一方が所定値以上か否かを判断して、何れか一方が所定濃度以上であれば（ステップＳ３２がＹＥＳ）ステップＳ３３に進み、所定濃度未満であれば（ステップＳ３２がＮＯ）、ステップＳ３５でエンジンを作動ならしめてステップＳ６まで進む。
【００６８】
ステップＳ３３では、コントロールユニット４はエンジンが作動しているか否かを判断する。エンジンが作動していれば（ステップＳ３３がＹＥＳ）次のステップＳ３４に進み、作動していなければ（ステップＳ３３がＮＯ）、ステップＳ３６まで進む。
ステップＳ３４ではコントロールユニット４はエンジンを停止させ、ステップＳ３６では制御を終了するか否かを判断する。
【００６９】
制御を続行する場合には（ステップＳ３６がＮＯ）、ステップＳ３１まで戻り、再びステップＳ１以降を繰り返す。
【００７０】
図１２、図１３の第４実施形態では、アセトアルデヒドセンサ３と、アルコールセンサ３Ａとを併用しているため、アセトアルデヒドセンサ３と、アルコールセンサ３Ａの何れか一方が故障しても、ドライバーの飲酒を確実に検知し、エンジンの作動を不可能とするため、飲酒運転を確実に防止できる。
さらに、飲酒をしたにも拘らず、それが検出されないという誤動作を防止して、飲酒運転を確実に防止することが出来る。
【００７１】
図示の実施形態はあくまでも例示であり、本発明の技術的範囲を限定する趣旨の記述ではない旨を付記する。
上述の例では、アセトアルデヒド及びその濃度を検出しているが、飲酒した者の体臭に包含されるその他の物質であって、飲酒したことを示す様な物質を検出するように構成しても良い。
また、図示の実施形態では、ドライバーシートに着座した者の体臭中のアセトアルデヒド濃度をドライバーシートで検出しているが、ドライバーのステアリングホイールを握る掌の汗中のアセトアルデヒド濃度を検出して、上述した制御を実行することも可能である。
【図面の簡単な説明】
【００７２】
【図１】本発明の第１実施形態の全体構成を示したブロック図。
【図２】第１実施形態における運転席回りのセンサ配置図。
【図３】第１実施形態の制御を示すフローチャート。
【図４】アセトアルデヒド濃度の時間変化を示した特性図。
【図５】第１実施形態において解除スイッチを操作したときの制御を示したフローチャート。
【図６】第２実施形態において、４つのセンサによってアセトアルデヒドを検出した場合のパターンを表示した特性図。
【図７】４つのセンサによってアセトアルデヒド以外の未知の物質を検出した場合のパターンを示す特性図。
【図８】未知の物質がアセトアルデヒドである場合の、検出したパターンを示す特性図。
【図９】第２実施形態のブロック図。
【図１０】本発明の第３実施形態のブロック図。
【図１１】第３実施形態の制御を示すフローチャート。
【図１２】本発明の第４実施形態のブロック図。
【図１３】第４実施形態の制御を示すフローチャート。
【符号の説明】
【００７３】
１・・・自動車
２・・・エンジン
３・・・アセトアルデヒドセンサ
４、４０・・・制御手段／コントロールユニット
５・・・解除スイッチ
６・・・飲酒運転信号発信手段
７・・・表示手段
４１・・・比較回路
４２・・・判定回路
４３・・・データベース
４４・・・物質判定ブロック
４５・・・濃度判定ブロック
４６・・・比較ブロック
１００、１０１、１０２・・・飲酒運転防止装置
４４１・・・パターン作成ブロック
４４２・・・パターン比較ブロック
４４３・・・判定ブロック
【図１】
2008254478.tif 000003
【図２】
2008254478.tif 000004
【図３】
2008254478.tif 000005
【図４】
2008254478.tif 000006
【図５】
2008254478.tif 000007
【図６】
2008254478.tif 000008
【図７】
2008254478.tif 000009
【図８】
2008254478.tif 000010
【図９】
2008254478.tif 000011
【図１０】
2008254478.tif 000012
【図１１】
2008254478.tif 000013
【図１２】
2008254478.tif 000014
【図１３】
2008254478.tif 000015
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
エチルアルコールの血中濃度が所定値以上の状態にある運転者が自動車を運転するに際して自動車のエンジン（２）を停止させる飲酒運転防止機構において、アセトアルデヒドと１：１で反応するアセトアルデヒドセンサ（３）が運転席（９）のシートクッション（９１）、シートバック（９２）、ヘッドレスト（９３）の少なくとも一箇所に設けられ、そのアセトアルデヒドセンサ（３）からの検出信号に基づいて運転者が飲酒又は酒気帯びであるか否かを判断するコントロールユニット（４）を備え、そのコントロールユニット（４）はデータベース（４３）と、前記アセトアルデヒドセンサ（３）の出力をデータベース（４３）に記憶されている閾値と比較する比較回路（４１）と、前記アセトアルデヒドセンサ（３）の出力が閾値以上であれば自動車のエンジンを停止させる判定回路（４２）とを備え、さらに前記閾値以上のアセトアルデヒド濃度が検出されても自動車のエンジン（２）の始動を可能にする解除スイッチ（５）を有し、前記コントロールユニット（４）はアセトアルデヒドが検出されたときに、その検出されたアセトアルデヒド濃度が閾値以上か否かを判断し、閾値以上であればエンジン（２）を停止させ、かつ前記解除スイッチ（５）がＯＮとなった時をデータベース（４３）に記録する機能を有することを特徴とする飲酒運転防止機構。
【請求項２】
エチルアルコールの血中濃度が所定値以上の状態にある運転者が自動車を運転するに際して自動車のエンジン（２）を停止させる飲酒運転防止機構において、アセトアルデヒドと１：１では反応せず複数の物質と反応する物質判定センサ（Ａ、Ｂ、Ｃ、Ｄ）が運転席（９）のシートクッション（９１）、シートバック（９２）、ヘッドレスト（９３）の少なくとも一箇所に設けられ、それらの物質判定センサ（Ａ、Ｂ、Ｃ、Ｄ）の各出力を各軸（Ａ、Ｂ、Ｃ、Ｄ）にプロットしてそのプロットを結んで得た図形パターンを用いてアセトアルデヒドの有無を判定するコントロールユニット（４０）と、そのコントロールユニット（４０）が飲酒又は酒気帯びであると判断しても自動車が発進できるようにする解除スイッチ（５）とを有し、そのコントロールユニット（４０）は物質判定ブロック（４４）と濃度判定ブロック（４５）と比較ブロック（４６）とデータベース（４３）とを有し、物質判定ブロック（４４）はパターン作成ブロック（４４１）とパターン比較ブロック（４４２）と判定ブロック（４４３）とで構成され、コントロールユニット（４０）は前記物質判定センサ（Ａ、Ｂ、Ｃ、Ｄ）から情報を受信して受信した物質のパターンを作成し、その作成した物質のパターンとデータベース（４３）に記憶されたアセトアルデヒドのパターンとをパターン比較ブロック（４４２）で比較し、その比較した結果を判定ブロック（４４３）で検出した物質がアセトアルデヒドであるか否かを判断し、物質判定ブロック（４４）で判定された物質がアセトアルデヒドの場合に濃度判定ブロック（４５）でそのアセトアルデヒドの濃度を決定し、データベース（４３）に記憶されてアセトアルデヒド濃度の閾値と濃度判定ブロック（４５）で比較し、検出したアルコール濃度が閾値より大きい場合にはエンジン（２）に制御信号を送りエンジン（２）を停止させ、また解除スイッチ（５）をＯＮした日時をデータベース（４３）に記憶する機能を有することを特徴とする飲酒運転防止機構。
【請求項３】
発進用アンテナ（６１）を有する飲酒運転信号発生手段（６）と表示手段（７）とを備え、コントロールユニット（４）は解除スイッチ（５）がオンであれば車速が零でないか否かを判断し、車速が零でなければ表示手段（７）を作動させそして飲酒信号発生手段（６）から飲酒信号を発信する機能を有する請求項１又は２のいずれかに記載の飲酒運転防止機構。
【請求項４】
運転者の呼気が衝突する位置にアルコールセンサ（３Ａ）を設け、コントロールユニット（４）はアルコール濃度が所定濃度以上であればエンジン（２）を停止する機能を有する請求項１記載の飲酒運転防止機構。
【手続補正２】
【補正対象書類名】明細書
【補正対象項目名】０００６
【補正方法】変更
【補正の内容】
【０００６】
本発明によれば、エチルアルコールの血中濃度が所定値以上の状態にある運転者が自動車を運転するに際して自動車のエンジン（２）を停止させる飲酒運転防止機構において、アセトアルデヒドと１：１で反応するアセトアルデヒドセンサ（３）が運転席（９）のシートクッション（９１）、シートバック（９２）、ヘッドレスト（９３）の少なくとも一箇所に設けられ、そのアセトアルデヒドセンサ（３）からの検出信号に基づいて運転者が飲酒又は酒気帯びであるか否かを判断するコントロールユニット（４）を備え、そのコントロールユニット（４）はデータベース（４３）と、前記アセトアルデヒドセンサ（３）の出力をデータベース（４３）に記憶されている閾値と比較する比較回路（４１）と、前記アセトアルデヒドセンサ（３）の出力が閾値以上であれば自動車のエンジンを停止させる判定回路（４２）とを備え、さらに前記閾値以上のアセトアルデヒド濃度が検出されても自動車のエンジン（２）の始動を可能にする解除スイッチ（５）を有し、前記コントロールユニット（４）はアセトアルデヒドが検出されたときに、その検出されたアセトアルデヒド濃度が閾値以上か否かを判断し、閾値以上であればエンジン（２）を停止させ、かつ前記解除スイッチ（５）がＯＮとなった時をデータベース（４３）に記録する機能を有している。
【手続補正３】
【補正対象書類名】明細書
【補正対象項目名】０００７
【補正方法】変更
【補正の内容】
【０００７】
ここで、前記「エンジンを停止する」とは、例えば、ガバナ等を制御してエンジンへの燃料供給を遮断する制御、点火系への電流供給を遮断する制御、スタータモータへの電流供給を遮断する制御、トランスミッションがニュートラル（Ｎ）位置やパーキング位置（Ｐ）以外に入らない様にする制御、サイドブレーキが解除されない様にする制御、或いは、イグニッションキーが回動しない様にする制御である。
【手続補正４】
【補正対象書類名】明細書
【補正対象項目名】０００８
【補正方法】変更
【補正の内容】
【０００８】
また本発明によれば、エチルアルコールの血中濃度が所定値以上の状態にある運転者が自動車を運転するに際して自動車のエンジン（２）を停止させる飲酒運転防止機構において、アセトアルデヒドと１：１では反応せず複数の物質と反応する物質判定センサ（Ａ、Ｂ、Ｃ、Ｄ）が運転席（９）のシートクッション（９１）、シートバック（９２）、ヘッドレスト（９３）の少なくとも一箇所に設けられ、それらの物質判定センサ（Ａ、Ｂ、Ｃ、Ｄ）の各出力を各軸（Ａ、Ｂ、Ｃ、Ｄ）にプロットしてそのプロットを結んで得た図形パターンを用いてアセトアルデヒドの有無を判定するコントロールユニット（４０）と、そのコントロールユニット（４０）が飲酒又は酒気帯びであると判断しても自動車が発進できるようにする解除スイッチ（５）とを有し、そのコントロールユニット（４０）は物質判定ブロック（４４）と濃度判定ブロック（４５）と比較ブロック（４６）とデータベース（４３）とを有し、物質判定ブロック（４４）はパターン作成ブロック（４４１）とパターン比較ブロック（４４２）と判定ブロック（４４３）とで構成され、コントロールユニット（４０）は前記物質判定センサ（Ａ、Ｂ、Ｃ、Ｄ）から情報を受信して受信した物質のパターンを作成し、その作成した物質のパターンとデータベース（４３）に記憶されたアセトアルデヒドのパターンとをパターン比較ブロック（４４２）で比較し、その比較した結果を判定ブロック（４４３）で検出した物質がアセトアルデヒドであるか否かを判断し、物質判定ブロック（４４）で判定された物質がアセトアルデヒドの場合に濃度判定ブロック（４５）でそのアセトアルデヒドの濃度を決定し、データベース（４３）に記憶されてアセトアルデヒド濃度の閾値と濃度判定ブロック（４５）で比較し、検出したアルコール濃度が閾値より大きい場合にはエンジン（２）に制御信号を送りエンジン（２）を停止させ、また解除スイッチ（５）をＯＮした日時をデータベース（４３）に記憶する機能を有している。
【手続補正５】
【補正対象書類名】明細書
【補正対象項目名】０００９
【補正方法】変更
【補正の内容】
【０００９】
さらに本発明によれば、発進用アンテナ（６１）を有する飲酒運転信号発生手段（６）と表示手段（７）とを備え、コントロールユニット（４）は解除スイッチ（５）がオンであれば車速が零でないか否かを判断し、車速が零でなければ表示手段（７）を作動させそして飲酒信号発生手段（６）から飲酒信号を発信する機能を有している。
【手続補正６】
【補正対象書類名】明細書
【補正対象項目名】００１０
【補正方法】変更
【補正の内容】
【００１０】
そして本発明によれば、運転者の呼気が衝突する位置にアルコールセンサ（３Ａ）を設け、コントロールユニット（４）はアルコール濃度が所定濃度以上であればエンジン（２）を停止する機能を有している。
【手続補正７】
【補正対象書類名】明細書
【補正対象項目名】００１１
【補正方法】変更
【補正の内容】
【００１１】
本発明において、アセトアルデヒドセンサは例えば薄膜センサを用いることができる。